(57)【要約】【課題】左眼用データや右眼用データを一時保存するバッファの容量を超えるようなデータの破綻を抑え、またデータの伝送速度の削減によりコストを低減する。【解決手段】映像再生装置１００は、バッファ１０３内に一時保存されている右眼用データ及び左眼用データのデータ量が予め設定された許容値９０％を超えた時や予め設定された許容値１０％を下回った時には、データ伝送部１０１による左眼用画像及び右眼用画像の一方の転送を止めると共に、停止された画像として映像保持部１１１からの１フレーム前の左眼用画像又は右眼用画像を補間することで、ユーザーの３Ｄ感覚を損なうことなく伝送速度を削減する。また、映像再生装置１００は、転送を止める際に、ユーザーの視力が悪い方もしくは利き目ではない方の目の画像を選択して止めるようにしたため、ユーザーにとってより違和感の少ない立体映像の表示ができる。【選択図】図１
2012114545.tif 000002
【特許請求の範囲】
【請求項１】
切替指示信号により左眼用データ及び右眼用データの両方又はどちらか一方を選択するデータ伝送手段と、
前記データ伝送手段により選択されたデータを一時保存するバッファと、
前記バッファ内に保存されているデータが入力され、その入力データが前記左眼用データのときは左眼用画像を生成し、前記右眼用データのときは右眼用画像を生成する画像生成手段と、
前記画像生成手段により生成された前記左眼用画像及び前記右眼用画像のうち選択された一方の画像を１フレーム分記憶して出力する映像保持手段と、
前記バッファ内に保存されているデータの容量を測定するデータ量測定手段と、
ユーザーの視力情報又は利き目情報を設定する設定手段と、
前記データ量測定手段により測定された前記データの容量が予め設定された許容値Ａを超えた時、もしくは前記データの容量が予め設定された許容値Ｂ（ただし、Ｂ＜Ａ）を下回った時に、前記切替指示信号を出力して前記データ伝送手段により前記左眼用データ及び右眼用データのうち前記視力情報又は前記利き目情報に基づいて判定した視力が悪い方の眼又は利き目でない方の眼に対応した一方のデータの転送を停止して他方のデータのみを選択させると共に、停止した前記一方のデータに対応する眼の画像を前記映像保持手段から表示映像として出力させ、かつ、選択した前記他方のデータに対応する眼の画像を前記画像生成手段から表示映像として出力させる切替手段と
を有することを特徴とする映像再生装置。
【請求項２】
切替指示信号により左眼用データ及び右眼用データの両方又はどちらか一方を選択するデータ伝送手段と、
前記データ伝送手段により選択されたデータを一時保存するバッファと、
前記バッファ内に保存されているデータが入力され、その入力データが前記左眼用データのときは左眼用画像を生成し、前記右眼用データのときは右眼用画像を生成する画像生成手段と、
前記画像生成手段により生成された前記左眼用画像及び前記右眼用画像のうち選択された一方の画像を１フレーム分記憶して出力する映像保持手段と、
前記バッファに入力されるデータの伝送レートを測定する伝送レート測定手段と、
ユーザーの視力情報又は利き目情報を設定する設定手段と、
前記伝送レート測定手段により測定された前記伝送レートが予め設定された許容値Ｃを超えた時、もしくは前記データの容量が予め設定された許容値Ｄ（ただし、Ｄ＜Ｃ）を下回った時に、前記データ伝送手段により前記左眼用データ及び右眼用データのうち前記視力情報又は前記利き目情報に基づいて判定した視力が悪い方の眼又は利き目でない方の眼に対応した一方のデータの転送を停止して他方のデータのみを選択させると共に、停止した前記一方のデータに対応する眼の画像を前記映像保持手段から表示映像として出力させ、かつ、選択した前記他方のデータに対応する眼の画像を前記画像生成手段から表示映像として出力させる切替手段と
を有することを特徴とする映像再生装置。
【請求項３】
切替指示信号により左眼用データ及び右眼用データの両方又はどちらか一方を選択するデータ伝送手段と、
前記データ伝送手段により選択されたデータを一時保存するバッファと、
前記バッファ内に保存されているデータが入力され、その入力データが前記左眼用データのときは左眼用画像を生成し、前記右眼用データのときは右眼用画像を生成する画像生成手段と、
前記画像生成手段により生成された前記左眼用画像及び前記右眼用画像のうち選択された一方の画像を１フレーム分記憶して出力する映像保持手段と、
前記画像生成手段により生成された前記左眼用画像及び前記右眼用画像から構成される再生映像のフレーム数をカウントするフレームカウンタと、
ユーザーの視力情報又は利き目情報を設定する設定手段と、
前記フレームカウンタによりカウントされた前記再生映像のフレーム数が所定値になる毎に、前記切替指示信号を出力して前記データ伝送手段により前記左眼用データ及び右眼用データのうち前記視力情報又は前記利き目情報に基づいて判定した視力が悪い方の眼又は利き目でない方の眼に対応した一方のデータの転送を停止して他方のデータのみを選択させると共に、停止した前記一方のデータに対応する眼の画像を前記映像保持手段から表示映像として出力させ、かつ、選択した前記他方のデータに対応する眼の画像を前記画像生成手段から表示映像として出力させる切替手段と
を有することを特徴とする映像再生装置。
【請求項４】
前記設定手段は、視力情報と利き目情報との両方を設定し、
前記切替手段は、前記視力情報が左眼及び右眼の視力がほぼ等しいことを示しているときにのみ、前記利き目情報を用いて利き目でない方の眼に対応した前記一方のデータの転送を停止することを特徴とする請求項１〜３記載の映像再生装置。
【発明の詳細な説明】
【技術分野】
【０００１】
本発明は映像再生装置に係り、特に左右眼視差（両眼視差）を利用した立体映像（３Ｄ映像）を再生する映像再生装置に関する。
【背景技術】
【０００２】
左右眼視差を利用した３Ｄ映像の再生表示を行う映像再生装置において、画像表示素子及び画像観察用接眼光学系からなる画像表示系を、左右の眼にそれぞれ独立に配置して観察し、３Ｄ映像表示時には、左右それぞれの画像表示素子に、それぞれ異なった映像を表示する映像再生装置が知られている（例えば、特許文献１参照）。
【先行技術文献】
【特許文献】
【０００３】
【特許文献１】特開平１１−１０１９５１号公報
【発明の概要】
【発明が解決しようとする課題】
【０００４】
しかしながら、特許文献１記載の映像再生装置の構成では、左右眼用それぞれの画像全面に、視差による表示の違いが生じる可能性があるため、完全に２画面分の画像を用意する必要がある。このため、３Ｄ表示を行う場合は多くの映像情報が必要となり、左眼用データや右眼用データを一時保存するバッファの容量を超えるようなデータの破綻を起こしたり、高速な伝送を行うためにコスト高になるという問題がある。
【０００５】
本発明は以上の点に鑑みなされたもので、左眼用データや右眼用データを一時保存するバッファの容量を超えるようなデータの破綻を抑え、またデータの伝送速度の削減によりコストを低減できる映像再生装置を提供することを目的とする。
【課題を解決するための手段】
【０００６】
上記の目的を達成するため、本発明の映像再生装置は、切替指示信号により左眼用データ及び右眼用データの両方又はどちらか一方を選択するデータ伝送手段と、データ伝送手段により選択されたデータを一時保存するバッファと、バッファ内に保存されているデータが入力され、その入力データが左眼用データのときは左眼用画像を生成し、右眼用データのときは右眼用画像を生成する画像生成手段と、画像生成手段により生成された左眼用画像及び右眼用画像のうち選択された一方の画像を１フレーム分記憶して出力する映像保持手段と、バッファ内に保存されているデータの容量を測定するデータ量測定手段と、ユーザーの視力情報又は利き目情報を設定する設定手段と、データ量測定手段により測定されたデータの容量が予め設定された許容値Ａを超えた時、もしくはデータの容量が予め設定された許容値Ｂ（ただし、Ｂ＜Ａ）を下回った時に、切替指示信号を出力してデータ伝送手段により左眼用データ及び右眼用データのうち視力情報又は利き目情報に基づいて判定した視力が悪い方の眼又は利き目でない方の眼に対応した一方のデータの転送を停止して他方のデータのみを選択させると共に、停止した一方のデータに対応する眼の画像を映像保持手段から表示映像として出力させ、かつ、選択した他方のデータに対応する眼の画像を画像生成手段から表示映像として出力させる切替手段とを有することを特徴とする。
【０００７】
また、上記の目的を達成するため、本発明の映像再生装置は、切替指示信号により左眼用データ及び右眼用データの両方又はどちらか一方を選択するデータ伝送手段と、データ伝送手段により選択されたデータを一時保存するバッファと、バッファ内に保存されているデータが入力され、その入力データが左眼用データのときは左眼用画像を生成し、右眼用データのときは右眼用画像を生成する画像生成手段と、画像生成手段により生成された左眼用画像及び右眼用画像のうち選択された一方の画像を１フレーム分記憶して出力する映像保持手段と、バッファに入力されるデータの伝送レートを測定する伝送レート測定手段と、ユーザーの視力情報又は利き目情報を設定する設定手段と、伝送レート測定手段により測定された伝送レートが予め設定された許容値Ｃを超えた時、もしくはデータの容量が予め設定された許容値Ｄ（ただし、Ｄ＜Ｃ）を下回った時に、データ伝送手段により左眼用データ及び右眼用データのうち視力情報又は利き目情報に基づいて判定した視力が悪い方の眼又は利き目でない方の眼に対応した一方のデータの転送を停止して他方のデータのみを選択させると共に、停止した一方のデータに対応する眼の画像を映像保持手段から表示映像として出力させ、かつ、選択した他方のデータに対応する眼の画像を画像生成手段から表示映像として出力させる切替手段とを有することを特徴とする。
【０００８】
また、上記の目的を達成するため、本発明の映像再生装置は、切替指示信号により左眼用データ及び右眼用データの両方又はどちらか一方を選択するデータ伝送手段と、データ伝送手段により選択されたデータを一時保存するバッファと、バッファ内に保存されているデータが入力され、その入力データが左眼用データのときは左眼用画像を生成し、右眼用データのときは右眼用画像を生成する画像生成手段と、画像生成手段により生成された左眼用画像及び右眼用画像のうち選択された一方の画像を１フレーム分記憶して出力する映像保持手段と、画像生成手段により生成された左眼用画像及び右眼用画像から構成される再生映像のフレーム数をカウントするフレームカウンタと、ユーザーの視力情報又は利き目情報を設定する設定手段と、フレームカウンタによりカウントされた再生映像のフレーム数が所定値になる毎に、切替指示信号を出力してデータ伝送手段により左眼用データ及び右眼用データのうち視力情報又は利き目情報に基づいて判定した視力が悪い方の眼又は利き目でない方の眼に対応した一方のデータの転送を停止して他方のデータのみを選択させると共に、停止した一方のデータに対応する眼の画像を映像保持手段から表示映像として出力させ、かつ、選択した他方のデータに対応する眼の画像を画像生成手段から表示映像として出力させる切替手段とを有することを特徴とする。
【０００９】
また、上記の目的を達成するため、本発明の映像再生装置は、設定手段は、視力情報と利き目情報との両方を設定し、切替手段は、視力情報が左眼及び右眼の視力がほぼ等しいことを示しているときにのみ、利き目情報を用いて利き目でない方の眼に対応した一方のデータの転送を停止することを特徴とする。
【発明の効果】
【００１０】
本発明によれば、左眼用データや右眼用データを一時保存するバッファの容量を超えるようなデータの破綻を抑え、またデータの伝送速度の削減によりコストを低減できる。
【図面の簡単な説明】
【００１１】
【図１】本発明の映像再生装置の一実施の形態のブロック図である。
【図２】図１の映像再生装置における映像の表示例を示す図である。
【図３】図１の映像再生装置における切替判定部による再生フラグの設定動作説明用フローチャートである。
【図４】本発明の映像再生装置の第１の実施の形態の映像再生動作を説明するためのフローチャートである。
【図５】本発明の映像再生装置の第２の実施の形態の映像再生動作を説明するためのフローチャートである。
【図６】本発明の映像再生装置の第３の実施の形態の映像再生動作を説明するためのフローチャートである。
【発明を実施するための形態】
【００１２】
以下、本発明の実施の形態について図面を参照して詳細に説明する。
【００１３】
図１は、本発明になる映像再生装置の一実施の形態のブロック図を示す。同図において、本実施の形態の映像再生装置１００は、データ伝送部１０１、伝送レート測定部１０２、バッファ１０３、バッファ制御部１０４、データ量測定部１０５、再生映像生成部１０６、視力設定部１０７、利き目設定部１０８、切替判定部１０９、切り替えスイッチ１１０、映像保持部１１１、切り替えスイッチ１１２Ｒ及び１１２Ｌ、左眼用表示部１１３Ｌ、及び右眼用表示部１１３Ｒから構成される。
【００１４】
データ伝送部１０１は、記録媒体１１４に記録されている左眼用データと右眼用データとを入力として受け、切替判定部１０９からの判定結果が「左眼使用」もしくは「右眼使用」の場合は１フレーム分の左眼用データと右眼用データの両方をバッファ制御部１０４に出力し、「左眼切替」の場合は１フレーム分の右眼用データのみバッファ制御部１０４に出力し、「右眼切替」の場合は１フレーム分の左眼用データのみバッファ制御部１０４に出力する。
【００１５】
伝送レート測定部１０２は、データ伝送部１０１からの伝送データ量を演算して伝送レート（ビットレート）を求め、求めた伝送レートを切替判定部１０９に出力する。この伝送レートが著しく高くなっている時は、次のフレームを再生するためのデータの一部をバッファ１０３に保存できなくなるおそれがあるため、伝送データを減らしてデータが溢れることを防ぐ必要がある。また伝送レートが０に近づいている時は、伝送エラーによるリトライ等、伝送が捗っていない可能性があるため、伝送データを減らしてスムーズに伝送させる必要がある。
【００１６】
バッファ制御部１０４は、データ伝送部１０１から出力される左眼用データと右眼用データの両方またはどちらか一方をバッファ１０３に保存する。また、バッファ制御部１０４は、保存した左眼用データと右眼用データを適宜再生映像生成部１０６に出力する。さらに、バッファ制御部１０４は、バッファ１０３に保存したデータ量と再生映像生成部１０６に出力したデータ量とをデータ量測定部１０５に出力する。
【００１７】
データ量測定部１０５は、バッファ制御部１０４からの保存データ量と出力データ量を演算してバッファ１０３に一時保存されているデータ量を求め、得られたデータ量測定結果を切替判定部１０９に出力する。一時保存データ量がバッファ容量に対して１００％に近づいている時は、次のフレームを再生するためのデータの一部を保存できなくなるおそれがあるため、伝送データを減らしてデータが溢れることを防ぐ必要がある。一方、一時保存データ量がバッファ容量に対して０％に近づいている時は、伝送エラーによるリトライ等、伝送が捗っていない可能性があるため、伝送データを減らして早く伝送させる必要がある。
【００１８】
再生映像生成部１０６は、フレームカウント回路を含んでおり、バッファ制御部１０４からの左眼用データと右眼用データを使用して左眼用画像と右眼用画像を生成し、それらを切り替えスイッチ１１０を通して映像保持部１１１に供給する一方、切り替えスイッチ１１２Ｌ、１１２Ｒを別々に通して左眼用表示部１１３Ｌと右眼用表示部１１３Ｒに出力する。また、再生映像生成部１０６は、フレームカウント回路でカウントされた再生映像のフレーム数を、切替判定部１０９に出力する。
【００１９】
視力設定部１０７は、外部から設定された、もしくは予め設定され内部で保持されているユーザーの視力情報を切替判定部１０９に出力する。利き目設定部１０８は、外部から設定された、もしくは予め設定され内部で保持されているユーザーの利き目情報を切替判定部１０９に出力する。なお、ユーザーの利き目情報は、ユーザーに左右を選択してもらう他、利き目を判定するためのテストパターンを設けることで得ることも可能である。
【００２０】
切替判定部１０９は、データ量測定部１０５からの一時保存データ量が、予め設定された許容値Ａを越えた場合、もしくは予め設定された許容値Ｂ（Ａ＞Ｂ）を下回った場合、もしくは伝送レート測定部１０２からの伝送レートが予め設定された許容値Ｃを超えた場合、もしくは予め設定された許容値Ｄ（Ｃ＞Ｄ）を下回った場合、もしくは再生映像生成部１０６からのフレーム数が予め設定された任意の値の倍数と一致した場合に、画像の切替を指示する。
【００２１】
すなわち、この場合、切替判定部１０９は、１フレーム前の判定が「左眼使用」もしくは「左眼切替」なら「右眼切替」と判定し、１フレーム前の判定が「右眼使用」もしくは「右眼切替」なら「左眼切替」と判定して、その判定結果をデータ伝送部１０１と切り替えスイッチ１１０と切り替えスイッチ１１２Ｌ及び１１２Ｒに出力する。
【００２２】
一方、切替判定部１０９は、データ量測定部１０５からの一時保存データ量が予め設定された許容値Ａと許容値Ｂの範囲内にあることを示しており、かつ、伝送レート測定部１０２からの伝送レートが予め設定された許容値Ｃと許容値Ｄの範囲内にあり、かつ、再生映像生成部１０６からのフレーム数が予め設定された任意の値の倍数と一致していない場合には、画像の切替を行わず、視力設定部１０７からのユーザーの視力情報に基づいて、更には利き目設定部１０８からの利き目情報に基づいて、左眼使用又は右眼使用を判定する。すなわち、この場合、切替判定部１０９は、視力設定部１０７からのユーザーの視力情報が「左眼の方が良い」場合は「左眼使用」と判定し、「右眼の方が良い」場合は「右眼使用」と判定し、「両眼とも同じ」場合には利き目設定部１０８からのユーザーの利き目情報が「左」なら「左眼使用」と判定し、「右」なら「右眼使用」と判定して、その判定結果をデータ伝送部１０１と切り替えスイッチ１１０、１１２Ｌ、１１２Ｒにそれぞれ出力する。
【００２３】
切り替えスイッチ１１０は、切替判定部１０９からの判定結果が「左眼使用」もしくは「左眼切替」の場合は、再生映像生成部１０６から出力される左眼用画像を選択して映像保持部１１１に保持させ、上記判定結果が「右眼使用」もしくは「右眼切替」の場合は、再生映像生成部１０６から出力される右眼用画像を選択して映像保持部１１１に保持させる。映像保持部１１１は、保持した左眼用画像又は右目用画像を、次のフレームを再生する際に切り替えスイッチ１１２Ｌ及び１１２Ｒに出力する。
【００２４】
切り替えスイッチ１１２Ｌは、切替判定部１０９からの判定結果が「左眼切替」の場合は、映像保持部１１１からの保持された左眼用画像を選択して左眼用表示部１１３Ｌに供給して表示させ、上記判定結果が「左眼切替」以外の場合は再生映像生成部１０６からの左眼用画像を選択して左眼用表示部１１３Ｌへ供給して表示させる。一般に、人間の目が高速で変化するパターンや画像を認識できる時間分解能は１０Ｈｚ程度であるといわれており、１フレーム前の保持された画像を表示されても殆んど認識できない。
【００２５】
同様に、切り替えスイッチ１１２Ｒは、切替判定部１０９からの判定結果が「右眼切替」の場合は、映像保持部１１１からの保持された右眼用画像を選択して右眼用表示部１１３Ｒへ供給して表示させ、上記判定結果が「右眼切替」以外の場合は、再生映像生成部１０６からの右眼用画像を選択して右眼用表示部１１３Ｒへ供給して表示させる。
【００２６】
図２は、本実施の形態の映像再生装置１００内の左眼用表示部１１３Ｌと右眼用表示部１１３Ｒの表示例を示す。図２において、左眼用表示部１１３Ｌと右眼用表示部１１３Ｒの各表示画像がＦ１〜Ｆ４のフレーム毎に示されている。また、図２において、フレームＦ３で切替判定部１０９からの判定結果が「右眼切替」である場合、上述したように左眼用表示部１１３Ｌは再生映像生成部１０６からのフレームＦ３の左眼用画像を表示し、右眼用表示部１１３ＲはフレームＦ３では映像保持部１１１からの実線で示す１フレーム前のフレームＦ２の右眼用画像を表示する。なお、右目用表示部１１３Ｒの点線で示す丸は、「右眼切替」をしなかった（補間をしなかった）ときのフレームＦ３の右眼用画像を示す。
【００２７】
図３は、映像再生装置１００における切替判定部１０９による再生フラグの設定動作説明用フローチャートを示す。
【００２８】
映像再生装置１００の切替判定部１０９は、再生処理の開始時に再生フラグをリセットする（ステップＳＴ１）。続いて、バッファ１０３内に一時保存されている左眼用データ及び右眼用データの容量が、例えばバッファ容量の１０％を超えたかどうかを判定する（ステップＳＴ２）。一時保存データ量が１０％以下である場合、切替判定部１０９は伝送レート測定部１０２により求めた伝送レートが２Ｍｂｐｓを超えているかどうかを判定する（ステップＳＴ３）。一時保存データ量が１０％を超えている場合（ステップＳＴ２のｙｅｓ）、もしくは伝送レートが２Ｍｂｐｓを超えている場合（ステップＳＴ３のｙｅｓ）、切替判定部１０９は再生フラグを“１”にセットする（ステップＳＴ４）。その後、切替判定部１０９は、再生処理の停止を示す再生停止信号が入力されるかどうかを判定する（ステップＳＴ５）。そして、切替判定部１０９は、再生停止信号が入力されたと判定された場合は再生フラグを“０”にリセットする（ステップＳＴ６）。
【００２９】
次に、本発明の映像再生装置の映像再生動作の各実施の形態について説明する。これらの各実施の形態の映像再生動作は、いずれも図１の構成の映像再生装置１００により行われる。
【００３０】
まず、本発明の映像再生装置の第１の実施の形態の映像再生動作について図４のフローチャートを参照して説明する。なお、この図４のフローチャートは前述した図３のフローチャート及び後述する図５のフローチャートと同時並行して実行される。
【００３１】
切替判定部１０９は、データ量測定部１０５からの測定結果が、バッファ１０３内に一時保存されている再生映像用の右眼用データ及び左眼用データの容量がバッファ容量の９０％を超えているか否かを判定する（ステップＳＴ１１）。切替判定部１０９は、一時保存データ容量がバッファ容量の９０％以下であると判定したときは（ステップＳＴ１１のＮｏ）、前記再生フラグが‘０’であると判定したとき（ステップＳＴ１２のＮｏ）、もしくは一時保存データ容量がバッファ容量の１０％以上であるとき（ステップＳＴ１３のＮｏ）、左眼用表示部１１３Ｌ及び右眼用表示部１１３Ｒともに現フレームの画像を表示させるように制御する（ステップＳＴ１４）。そして、再生映像の切替状況を示す切替フラグを‘０’にセットする（ステップＳＴ１５）。
【００３２】
一方、切替判定部１０９は、ステップＳＴ１１において前記データ容量がバッファ容量の９０％を越えていることを示しているデータ量測定結果が入力されたと判定したときは、切替フラグの値を判定する（ステップＳＴ１６）。また、切替判定部１０９は、前記再生フラグが‘１’であり（ステップＳＴ１２のＹｅｓ）、かつ、一時保存データ容量がバッファ容量の１０％未満であるデータ量測定結果が入力されたと判定したとき（ステップＳＴ１３のＹｅｓ）にも、切替フラグの値を判定する（ステップＳＴ１６）。この場合は、ステップＳＴ４で一時保存データ容量がバッファ容量の１０％より多く溜ったために再生フラグが“１”になった後に、一時保存データ容量がバッファ容量の１０％未満になった場合を想定している。一時保存データ容量は常に変化している。
【００３３】
切替判定部１０９は、ステップＳＴ１６において、切替フラグの値が‘２’（１フレーム前に左眼用画像を補間して表示）のときは、左眼用表示部１１３Ｌには現フレームの左眼用画像を表示し、右眼用表示部１１３Ｒには１フレーム前の右眼用画像を表示するように制御する（ステップＳＴ１９）。そして、切替フラグの値を‘１’にセットする（ステップＳＴ２０）。また、切替判定部１０９は、ステップＳＴ１６において、切替フラグの値が‘１’（１フレーム前に右眼用画像を補間して表示）と判定したときは、左眼用表示部１１３Ｌには１フレーム前の左眼用画像を表示し、右眼用表示部１１３Ｒには現フレームの右眼用画像を表示するように制御する（ステップＳＴ２１）。そして、切替フラグの値を‘２’にセットする（ステップＳＴ２２）。
【００３４】
さらに、切替判定部１０９は、ステップＳＴ１６において、切替フラグの値が‘０’（１フレーム前に左眼用画像及び右眼用画像ともに通常表示）と判定したときは、視力設定部１０７により設定された視力情報を判定し（ステップＳＴ１７）、左眼と右眼の視力が同じときは更に利き目設定部１０８により設定された利き目情報を判定する（ステップＳＴ１８）。
【００３５】
すなわち、切替判定部１０９は、ステップＳＴ１７で右眼より左眼の視力が良いと判定した場合、もしくは両眼の視力が同じでステップＳＴ１８で利き目が左眼であると判定した場合は、「右眼切替」をデータ伝送部１０１に指示して、データ伝送部１０１より１フレーム分の左眼用データのみ出力させ、かつ、１フレーム分の右眼用データの出力は停止すると同時に、再生映像生成部１０６からの左眼用画像を切り替えスイッチ１１２Ｌにより選択させると共に切り替えスイッチ１１０を制御して映像保持部１１１に供給させ、かつ、映像保持部１１１からの右眼用画像を切り替えスイッチ１１２Ｒにより選択させる。これにより、左眼用表示部１１３Ｌには現フレームの左眼用画像を表示させ、右眼表示部１１３Ｒには１フレーム前の右眼用画像を表示させるように制御し（ステップＳＴ１９）、切替フラグの値を‘１’にセットする（ステップＳＴ２０）。
【００３６】
また、切替判定部１０９は、ステップＳＴ１７で左眼より右眼の視力が良いと判定した場合、もしくは両眼の視力が同じでステップＳＴ１８で利き目が右眼であると判定した場合は、上記とは逆に「左眼切替」をデータ伝送部１０１に指示して左眼用データの転送を停止すると共に、切り替えスイッチ１１０、１１２Ｌ及び１１２Ｒを制御して、左眼用表示部１１３Ｌには１フレーム前の左眼用画像を表示させ、右眼表示部１１３Ｒには現フレームの右眼用画像を表示させるように制御して（ステップＳＴ２１）、切替フラグの値を‘２’にセットする（ステップＳＴ２２）。
【００３７】
なお、本実施の形態では、複数フレーム連続で片眼画像を補間して表示する場合、１フレーム毎に補間する画像を左右に切り替えているが、２フレーム以上毎に切り替えることも可能である。
【００３８】
このように、本実施の形態によれば、バッファ１０３内に一時保存されている右眼用データ及び左眼用データのデータ量が予め設定された許容値９０％（＝Ａ）を超えた時や予め設定された許容値１０％（＝Ｂ）を下回った時には、左眼用画像及び右眼用画像の一方の転送を止めることでバッファ１０３に容量以上のデータが溢れたり、伝送データをスムーズに伝送できるようにすると共に、停止された画像として１フレーム前の左眼用画像又は右眼用画像を補間することで、ユーザーの３Ｄ感覚を損なうことなく伝送速度を削減することができ、データの破綻を抑えてコストを低減することができる。
【００３９】
また、本実施の形態によれば、転送を止める際に、ユーザーの視力が悪い方もしくは利き目ではない方の目の画像を選択して止めるようにしたため、ユーザーにとってより違和感の少ない立体映像の表示ができる。
【００４０】
次に、本発明の映像再生装置の第２の実施の形態の映像再生動作について図５のフローチャートを参照して説明する。
【００４１】
まず、切替判定部１０９は、伝送レート測定部１０２からの測定結果により、伝送レートが２０Ｍｂｐｓを超えているか否かを判定する（ステップＳＴ３１）。切替判定部１０９は、伝送レートが２０Ｍｂｐｓ以下であると判定したときは（ステップＳＴ３１のＮｏ）、前記再生フラグが‘０’であると判定したとき（ステップＳＴ３２のＮｏ）、もしくは伝送レートが２Ｍｂｐｓ以上であるとき（ステップＳＴ３３のＮｏ）、左眼用表示部１１３Ｌ及び右眼用表示部１１３Ｒともに現フレームの画像を表示させるように制御する（ステップＳＴ３４）。そして、再生映像の切替状況を示す切替フラグを‘０’にセットする（ステップＳＴ３５）。
【００４２】
一方、切替判定部１０９は、ステップＳＴ３１において伝送レートが２０Ｍｂｐｓを越えていることを示している伝送レート測定結果が入力されたと判定したときは、切替フラグの値を判定する（ステップＳＴ３６）。また、切替判定部１０９は、前記再生フラグが‘１’であり（ステップＳＴ３２のＹｅｓ）、かつ、伝送レートが２Ｍｂｐｓ未満であるデータ量測定結果が入力されたと判定したとき（ステップＳＴ３３のＹｅｓ）にも、切替フラグの値を判定する（ステップＳＴ３６）。
【００４３】
切替判定部１０９は、ステップＳＴ３６において、切替フラグの値が‘２’（１フレーム前に左眼用画像を補間して表示）のときは、左眼用表示部１１３Ｌには現フレームの左眼用画像を表示し、右眼用表示部１１３Ｒには１フレーム前の右眼用画像を表示するように制御する（ステップＳＴ３９）。そして、切替フラグの値を‘１’にセットする（ステップＳＴ４０）。また、切替判定部１０９は、ステップＳＴ３６において、切替フラグの値が‘１’（１フレーム前に右眼用画像を補間して表示）と判定したときは、左眼用表示部１１３Ｌには１フレーム前の左眼用画像を表示し、右眼用表示部１１３Ｒには現フレームの右眼用画像を表示するように制御する（ステップＳＴ４１）。そして、切替フラグの値を‘２’にセットする（ステップＳＴ４２）。
【００４４】
さらに、切替判定部１０９は、ステップＳＴ３６において、切替フラグの値が‘０’（１フレーム前に左眼・右眼ともに通常表示）と判定したときは、視力設定部１０７により設定された視力情報を判定し（ステップＳＴ３７）、左眼と右眼の視力が同じときは更に利き目設定部１０８により設定された利き目情報を判定する（ステップＳＴ３８）。すなわち、切替判定部１０９は、ステップＳＴ３７で右眼より左眼の視力が良いと判定した場合、もしくは両眼の視力が同じでステップＳＴ３８で利き目が左眼であると判定した場合は、左眼用表示部１１３Ｌには現フレームの左眼用画像を表示させ、右眼表示部１１３Ｒには１フレーム前の右眼用画像を表示させるように制御し（ステップＳＴ３９）、切替フラグの値を‘１’にセットする（ステップＳＴ４０）。
【００４５】
また、切替判定部１０９は、ステップＳＴ３７で左眼より右眼の視力が良いと判定した場合、もしくは両眼の視力が同じでステップＳＴ３８で利き目が右眼であると判定した場合は、左眼用表示部１１３Ｌには１フレーム前の左眼用画像を表示させ、右眼表示部１１３Ｒには現フレームの右眼用画像を表示させるように制御して（ステップＳＴ４１）、切替フラグの値を‘２’にセットする（ステップＳＴ４２）。
【００４６】
なお、本実施形態では、図４のフローチャートと共に説明した第１の実施の形態と同様に、複数フレーム連続で片眼画像を補間して再生表示する場合、１フレーム毎に補間する画像を左右に切り換えているが、２フレーム以上毎に切り換えることも可能である。
【００４７】
このように、本実施の形態によれば、右眼用データ及び左眼用データの伝送レートが予め設定された許容値２０Ｍｂｐｓ（＝Ｃ）を超えた時や予め設定された許容値２Ｍｂｐｓ（＝Ｄ）を下回った時には、左眼用画像及び右眼用画像の一方の転送を止めることでバッファ１０３に容量以上のデータが溢れたり、伝送データをスムーズに伝送できるようにすると共に、転送が停止された画像として１フレーム前の左眼用画像又は右眼用画像を表示することで、ユーザーの３Ｄ感覚を損なうことなく伝送速度を削減することができ、データの破綻を抑えてコストを低減することができる。また、本実施の形態によれば、転送を止める際に、ユーザーの視力が悪い方もしくは利き目ではない方の目の画像を選択して止めるようにしたため、より違和感の少ない立体映像の表示ができる。
【００４８】
次に、本発明の映像再生装置の第３の実施の形態の映像再生動作について図６のフローチャートを参照して説明する。
【００４９】
まず、再生映像生成部１０６は、再生映像生成部１０６の内部に備えた再生映像のフレーム数をカウントするフレームカウント回路のカウント値Ｎを“１”にセットする（ステップＳＴ５１）。続いて、切替判定部１０９はカウント値Ｎが“１５”であるか否かを判定する（ステップＳＴ５２）。カウント値Ｎが“１５”以外の値のときには、切替判定部１０９は左眼用表示部１１３Ｌ及び右眼用表示部１１３Ｒともに現フレームの画像を表示させるように制御する（ステップＳＴ５３）。次に、再生映像生成部１０６は、上記のフレームカウント回路のカウント値Ｎを‘１’だけインクリメントする（ステップＳＴ５４）。
【００５０】
一方、ステップＳＴ５２でフレームカウント回路のカウント値Ｎが“１５”と判定したときには、切替判定部１０９は、視力設定部１０７により設定された視力情報を判定し（ステップＳＴ５５）、左眼と右眼の視力が同じときは更に利き目設定部１０８により設定された利き目情報を判定する（ステップＳＴ５６）。すなわち、切替判定部１０９は、ステップＳＴ５５で右眼より左眼の視力が良いと判定した場合、もしくは両眼の視力が同じでステップＳＴ５６で利き目が左眼であると判定した場合は、左眼用表示部１１３Ｌには現フレームの左眼用画像を表示させ、右眼表示部１１３Ｒには１フレーム前の右眼用画像を表示させるように制御する（ステップＳＴ５７）。
【００５１】
また、切替判定部１０９は、ステップＳＴ５５で左眼より右眼の視力が良いと判定した場合、もしくは両眼の視力が同じでステップＳＴ５６で利き目が右眼であると判定した場合は、左眼用表示部１１３Ｌには１フレーム前の左眼用画像を表示させ、右眼表示部１１３Ｒには現フレームの右眼用画像を表示させるように制御する（ステップＳＴ５８）。
【００５２】
このように、本実施の形態ではフレームカウント回路のカウント値が予め設定された任意の値（上記の例では“１５”）と一致した時（再生映像のフレーム数が１５フレームになった時）に、左右の映像の一方の転送を止めて１フレーム前の再生映像を表示することで、ユーザーの３Ｄ感覚を損なうことなく伝送速度を削減する事が可能となるため、データの破綻を抑えてコストを低減することができる映像再生装置を提供することができる。また、本実施の形態においても、転送を停止する画像として、ユーザーの視力が悪い方の目の画像、もしくは利き目ではない方の目の画像を選択するようにしたため、より違和感の少ない立体映像の表示ができる。
【００５３】
なお、本発明は以上の実施の形態に限定されるものではなく、例えば設定値Ａ〜Ｄは実施の形態以外の値に設定することも可能である。
【図１】
2012114545.tif 000003
【図２】
2012114545.tif 000004
【図３】
2012114545.tif 000005
【図４】
2012114545.tif 000006
【図５】
2012114545.tif 000007
【図６】
2012114545.tif 000008